(57)【要約】【課題】幅寸法を調整できると共に、笠木取付部の頂部に笠木から雨水等が流れ込むことがなく、単純形状の笠木取付金具を用いて笠木を簡単に取付けできる笠木とする。【解決手段】バルコニーの壁体１（笠木取付体）に笠木取付金具３で取付けられる笠木本体２０と、この笠木本体２０の横向部２１に重なり合う横向部３１と縦向部３２を有した化粧部材３０と、前記笠木本体２０の垂下部２３に設けた被支持部２４に支持される支持部４２と前記化粧部材３０の縦面部３２に設けた取付部３３が係合して取付けられる第１・第２被取付部４３，４４を有した連結部材４０を備え、この連結部材４０を幅方向に反転して支持することで第１被取付部４３に取付部３３を係合することで笠木の幅寸法が大きく、第２被取付部４４に取付部３３を係合することで笠木の幅寸法を小さくできるようにする。【選択図】図２
2009133078.tif 000002
【特許請求の範囲】
【請求項１】
所定の幅を有した笠木取付体の頂部に取付ける笠木であって、
笠木本体に化粧部材を連結部材で取付けて笠木とし、
前記笠木本体は、横向部と、この横向部の幅方向一端寄りに設けた縦向部と、前記横向部の幅方向他端寄りに設けた垂下部で断面略下向コ字形状で、その垂下部よりも幅方向他端寄りに被支持部を有し、前記笠木取付体の頂部に笠木取付金具で取付けられ、前記横向部が笠木取付体の上面を覆い、前記縦向部が笠木取付体の幅方向一側面を覆うと共に、前記垂下部が笠木取付体の幅方向他端寄りの上面に水密材を介して接し、
前記化粧部材は、前記笠木本体の上面と重なり合う横向部と、前記笠木取付体の幅方向他側面を覆う縦向部で断面略鉤形状で、その縦向部に取付部を有し、
前記連結部材は、本体と、この本体に設けられ前記被支持部に幅方向及び上下方向に動かないように支持される支持部と、前記本体に設けられ前記化粧部材の取付部が長手方向、幅方向、上下方向に動かないように係合する被取付部を備え、その被取付部の幅方向の位置をずらして前記被支持部に支持できるようにしたことを特徴とする笠木。
【請求項２】
所定の幅を有した笠木取付体の頂部に取付ける笠木であって、
笠木本体に化粧部材を連結部材で取付けて笠木とし、
前記笠木本体は、横向部と、この横向部の幅方向一端寄りに設けた縦向部と、前記横向部の幅方向他端寄りに設けた垂下部で断面略下向コ字形状で、その垂下部よりも幅方向他端寄りに被支持部を有し、前記笠木取付体の頂部に笠木取付金具で取付けられ、前記横向部が笠木取付体の上面を覆い、前記縦向部が笠木取付体の幅方向一側面を覆うと共に、前記垂下部が笠木取付体の幅方向他端寄りの上面に水密材を介して接し、
前記化粧部材は、前記笠木本体の上面と重なり合う横向部と、前記笠木取付体の幅方向他側面を覆う縦向部で断面略鉤形状で、その縦向部に取付部を有し、
前記連結部材は、本体と、この本体に設けられ前記被支持部に幅方向及び上下方向に動かないように支持される支持部と、前記本体に設けられ前記化粧部材の取付部が長手方向、幅方向、上下方向に動かないように係合する被取付部を有し、その支持部と被取付部との幅方向の寸法が異なる複数の連結部材を備えていることを特徴とする笠木。
【請求項３】
笠木本体の被支持部と連結部材の支持部は、笠木の長手方向にスライド自在に嵌合している請求項１又は２記載の笠木。
【請求項４】
笠木本体の垂下部よりも幅方向他端寄りに下向片と上向片を笠木本体の長手方向に連続して相対向して設けて被支持部とし、
連結部材の本体に、前記下向片、上向片に嵌合する上向凹部、下向凹部を設けて支持部とし、
前記上向片、下向片の長手方向一部分を切欠き、その切欠き部に連結部材を幅方向から挿入可能とした請求項３記載の笠木。
【請求項５】
連結部材は、笠木本体の被支持部に幅方向に反転して幅方向両端が反対向きとなった第１の姿勢と第２の姿勢に支持できると共に、化粧部材の取付部が係合する被取付部の位置が第１の姿勢と第２の姿勢で幅方向にずれるようにした請求項１記載の笠木。
【請求項６】
連結部材の本体に、支持部と第１・第２被取付部を設け、
この本体を、第１被取付部が幅方向他端に向かう第１の姿勢と第２被取付部が幅方向他端に向かう第２の姿勢とに幅方向に反転して支持できるようにし、
前記第１の姿勢の時の第１被取付部と第２の姿勢の時の第２被取付部が幅方向にずれるようにした請求項５記載の笠木。
【発明の詳細な説明】
【技術分野】
【０００１】
本発明は、建物躯体のパラペット頂部や、バルコニーの壁体頂部に取付ける笠木に関する。
【背景技術】
【０００２】
従来から建物躯体のパラペット頂部に笠木を取付け、その笠木でパラペット頂部の上面、幅方向の両側面を覆うことにより、安全性、装飾性などを向上している。
前述の笠木は、パラペット頂部の幅方向両側面を覆う形状であるから、パラペット頂部の幅に対応した多種類の笠木を準備しなければならない。
このことを解消して幅の異なるパラペット頂部に取付けできるようにした笠木が特許文献１に開示されている。
この笠木は、笠木本体に笠木副体を係合部材を介して連結し、その係合部材の長さを変えることで笠木のパラペット頂部の幅方向の寸法（つまり、笠木の幅寸法）を調整できるようにし、前記笠木副体を笠木取付金具に係合支持させるようにしている。
【特許文献１】実開平４−６４１６号公報
【発明の開示】
【発明が解決しようとする課題】
【０００３】
前述した従来の笠木であると、笠木本体と笠木副体との間に雨水等が浸入し、その浸入した雨水等がパラペット頂部に流れ込む恐れがある。
また、笠木副体を笠木取付金具に係合支持させているので、その笠木取付金具を、金具主体に金具副体を位置調整自在に連結し、その金具主体をパラペット頂部に固着して取付け、金具副体の位置に対応して位置調整して笠木副体を係合支持できるようにしているから、笠木取付金具が複雑形状である。
しかも、笠木副体の位置を調整して笠木の幅寸法を調整した時には、金具副体の位置を調整しなければならず、笠木の取付け作業が面倒である。
【０００４】
前述の課題は、笠木をバルコニーの壁体頂部に取付ける場合にも同様に発生する。
すなわち、建物躯体のパラペット頂部、バルコニーの壁体頂部などの笠木を取付ける笠木取付体頂部に笠木を取付ける場合に前述した課題が発生する。
【０００５】
本発明の目的は、笠木の幅寸法を調整できること、笠木から浸入した雨水等が笠木取付体頂部に流れ込むことがないこと、単純形状の笠木取付金具を用いて笠木を簡単に取付けできること、を満足した笠木とすることである。
【課題を解決するための手段】
【０００６】
本発明の第１の笠木は、所定の幅を有した笠木取付体の頂部に取付ける笠木であって、
笠木本体に化粧部材を連結部材で取付けて笠木とし、
前記笠木本体は、横向部と、この横向部の幅方向一端寄りに設けた縦向部と、前記横向部の幅方向他端寄りに設けた垂下部で断面略下向コ字形状で、その垂下部よりも幅方向他端寄りに被支持部を有し、前記笠木取付体の頂部に笠木取付金具で取付けられ、前記横向部が笠木取付体の上面を覆い、前記縦向部が笠木取付体の幅方向一側面を覆うと共に、前記垂下部が笠木取付体の幅方向他端寄りの上面に水密材を介して接し、
前記化粧部材は、前記笠木本体の上面と重なり合う横向部と、前記笠木取付体の幅方向他側面を覆う縦向部で断面略鉤形状で、その縦向部に取付部を有し、
前記連結部材は、本体と、この本体に設けられ前記被支持部に幅方向及び上下方向に動かないように支持される支持部と、前記本体に設けられ前記化粧部材の取付部が長手方向、幅方向、上下方向に動かないように係合する被取付部を備え、その被取付部の幅方向の位置をずらして前記被支持部に支持できるようにしたことを特徴とする笠木である。
【０００７】
本発明の第２の笠木は、所定の幅を有した笠木取付体の頂部に取付ける笠木であって、
笠木本体に化粧部材を連結部材で取付けて笠木とし、
前記笠木本体は、横向部と、この横向部の幅方向一端寄りに設けた縦向部と、前記横向部の幅方向他端寄りに設けた垂下部で断面略下向コ字形状で、その垂下部よりも幅方向他端寄りに被支持部を有し、前記笠木取付体の頂部に笠木取付金具で取付けられ、前記横向部が笠木取付体の上面を覆い、前記縦向部が笠木取付体の幅方向一側面を覆うと共に、前記垂下部が笠木取付体の幅方向他端寄りの上面に水密材を介して接し、
前記化粧部材は、前記笠木本体の上面と重なり合う横向部と、前記笠木取付体の幅方向他側面を覆う縦向部で断面略鉤形状で、その縦向部に取付部を有し、
前記連結部材は、本体と、この本体に設けられ前記被支持部に幅方向及び上下方向に動かないように支持される支持部と、前記本体に設けられ前記化粧部材の取付部が長手方向、幅方向、上下方向に動かないように係合する被取付部を有し、その支持部と被取付部との幅方向の寸法が異なる複数の連結部材を備えていることを特徴とする笠木である。
【０００８】
本発明の第１・第２の笠木においては、笠木本体の被支持部と連結部材の支持部は、笠木の長手方向にスライド自在に嵌合している笠木とすることができる。
このようにすれば、化粧部材が連結部材とともに笠木本体に対して長手方向に相対的にスライドするので、笠木本体と化粧部材の熱伸びの差を吸収できる。
【０００９】
本発明の第１・第２の笠木においては、笠木本体の垂下部よりも幅方向他端寄りに下向片と上向片を笠木本体の長手方向に連続して相対向して設けて被支持部とし、
連結部材の本体に、前記下向片、上向片に嵌合する上向凹部、下向凹部を設けて支持部とし、
前記上向片、下向片の長手方向一部分を切欠き、その切欠き部に連結部材を幅方向から挿入可能とした笠木とすることができる。
このようにすれば、連結部材を切欠き部に挿入して上向凹部、下向凹部を下向片、上向片に合致させ、その状態で連結部材を笠木本体の長手方向にスライドし上向凹部、下向凹部を下向片、上向片に嵌合して支持できるので、連結部材を笠木本体に簡単に支持できる。
【００１０】
本発明の第１の笠木においては、連結部材は、笠木本体の被支持部に幅方向に反転して幅方向両端が反対向きとなった第１の姿勢と第２の姿勢に支持できると共に、化粧部材の取付部が係合する被取付部の位置が第１の姿勢と第２の姿勢で幅方向にずれるようにした笠木とすることができる。
このようにすれば、連結部材を幅方向に反転して笠木本体に支持することで笠木の幅寸法を調整できる。
【００１１】
本発明の第１の笠木においては、連結部材の本体に、支持部と第１・第２被取付部を設け、
この本体を、第１被取付部が幅方向他端に向かう第１の姿勢と第２被取付部が幅方向他端に向かう第２の姿勢とに幅方向に反転して支持できるようにし、
前記第１の姿勢の時の第１被取付部と第２の姿勢の時の第２被取付部が幅方向にずれるようにした笠木とすることができる。
このようにすれば、連結部材の本体が第１の姿勢の時には化粧部材の取付部を第１被取付部に係合して取付け、第２の姿勢の時には化粧部材の取付部を第２被取付部に係合して取付けることで、笠木の幅寸法を２段階に調整できる。
また、笠木本体の横向部と化粧部材の横向部との間から浸入した雨水等を切欠き部を通して落下することができる。
【発明の効果】
【００１２】
請求項１に係る発明の第１の笠木によれば、連結部材を笠木本体に、その被取付部の幅方向の位置をずらして支持することで、化粧部材が笠木本体に幅方向にずれて取付けられるから、笠木の幅寸法を調整できる。
また、笠木本体の横向部と化粧部材の横向部との間から浸入した雨水等は、垂下部と水密材で水密されて笠木取付体の上面における幅方向一端方に流れることがなく、その雨水等は笠木取付体の幅方向他側面に沿って流れ落ちるので、前述の雨水等が笠木本体頂部に浸入することがない。
また、連結部材を笠木本体に、その被取付部の幅方向の位置をずらして支持することで、笠木の幅寸法を調整できるので、単純形状の笠木取付金具を用いて笠木を簡単に取付けできる。
【００１３】
請求項２に係る発明の第２の笠木によれば、支持部と被取付部との幅方向の寸法が異なる連結部材を笠木本体に支持することで、化粧部材が笠木本体に幅方向にずれて取付けられるから、笠木の幅寸法を調整できる。
また、笠木本体の横向部と化粧部材の横向部との間から浸入した雨水等は、垂下部と水密材で水密されて笠木取付体の上面における幅方向一端方に流れることがなく、その雨水等は笠木取付体の幅方向他側面に沿って流れ落ちるので、前述の雨水等が笠木本体頂部に浸入することがない。
また、異なる連結部材を笠木本体に支持することで、笠木の幅寸法を調整できるので、単純形状の笠木取付金具を用いて笠木を簡単に取付けできる。
【発明を実施するための最良の形態】
【００１４】
図１は、バルコニーの壁体頂部に笠木を取付けた平面図で、バルコニーの壁体１は前面部１ａと左右の側面部１ｂで平面コ字形状である。
前記壁体１の頂部に取付けた笠木２は、桁笠木２ａと左右の妻笠木２ｂとコーナー笠木２ｃで平面コ字形状である。
桁笠木２ａが前面部１ａに笠木取付金具（ホルダー）３で取付けられ、妻笠木２ｂが側面部１ｂに笠木取付金具（ホルダー）３で取付けられ、コーナー笠木２ｃが前面部１ａと側面部１ｂのコーナー部に笠木取付金具（ホルダー）３で取付けてある。
このコーナー笠木２ｃと桁笠木２ａ、妻笠木２ｂがジョイント４でそれぞれ連結してある。
前述のバルコニーの壁体１が本発明に係る笠木取付体である。
【００１５】
前記壁体１は図２に示すように、芯部材１０と、その芯部材１０の幅方向両側に間隔を置いて設けた一対の外壁部材１１を備えた所定の幅Ｔ１を有している。
前記芯部材１０と外壁部材１１との間に空間部１２が形成されている。
【００１６】
前記笠木２は図２に示すように、笠木本体２０と化粧部材３０と連結部材４０を備えている。
前記笠木本体２０は、壁体１の上面１ａを覆う横向部２１と、この横向部２１の壁体１の幅方向（以下、幅方向という）の一端寄りに設けられ壁体１の幅方向一側面１ｂの上部寄りを覆う縦向部２２と、前記横向部２１の幅方向の他端寄りに設けられ壁体１の上面１ａに接する垂下部２３で断面略下向きコ字形状で、その垂下部２３よりも幅方向の他端寄りに被支持部２４を有していると共に、前記垂下部２３よりも幅方向の一端寄りに一端取付部２５と他端取付部２６を有している。
【００１７】
前記笠木取付金具３は、取付部３ａと一端被取付部３ｂと他端被取付部３ｃを有した短尺材で、その取付部３ａが壁体１（芯部材１０）の上面に固着具３ｄで固着して取付けられ、その一端被取付部３ｂが笠木２の幅方向一端に向かうと共に、他端被取付部３ｃが笠木２の幅方向他端に向かうようにしてある。
前記笠木本体２０の一端取付部２５が一端被取付部３ｂに係合すると共に、他端取付部２６が他端被取付部３ｃに係合して笠木本体２０が壁体１の頂部に取付けられる。
そして、笠木本体２０の縦向部２２が壁体１の幅方向一側面１ｂを覆うと共に、垂下部２３が壁体１の上面１ａにおける幅方向他側面１ｃ寄り（外壁部材１１の上面）に水密材１３を介して接する。
【００１８】
前記化粧部材３０は、笠木本体２の横向部２１の上面に重なり合う横向部３１と、壁体１の幅方向他側面１ｃの上部寄りを覆う縦向部３２で断面略鉤形状の長尺材で、その縦向部３２に前記連結部材４０に取付けられる取付部３３を有している。
前記連結部材４０は、本体４１と、この本体４１の幅方向の一端寄りに設けられ、前記笠木本体２０の被支持部２４に支持される支持部４２と、前記本体４１の幅方向他端寄りと幅方向一端寄りに設けられ前記化粧部材３０の取付部３３が取付けられる第１被取付部４３、第２被取付部４４を有した短尺材である。
【００１９】
前記連結部材４０を笠木本体２０に、図２に示すように、その第１被取付部４３が笠木２の幅方向他端方に向かう第１の姿勢として支持することで、笠木本体２０の被支持部２４から第１被取付部４３が幅方向他端方に突出し、その第１被取付部４３に取付部３３を係合して化粧部材４０を取付けることで、笠木本体２０の縦向部２２と化粧部材３０の縦向部３２との間の寸法、つまり笠木２の幅寸法を大きくできる。
【００２０】
また、図３に示すように連結部材４０の本体４１を幅方向に反転して第２被取付部４４が笠木２の幅方向他端方に向かう第２の姿勢として支持部４２を笠木本体２０の被支持部２４に支持し、第２被取付部４４が笠木本体２０の被支持部２４よりも幅方向一端寄りに位置するようにし、その第２被取付部４４に取付部３３を係合して化粧部材３０を取付けることで、笠木本体２０の縦向部２２と化粧部材３０の縦向部３２との間の寸法、つまり笠木２の幅寸法を小さくできる。
【００２１】
要するに、連結部材４０は、笠木本体２０の被支持部２４に、幅方向に反転して幅方向両端が反対向きとなった第１の姿勢と第２の姿勢に支持できると共に、化粧部材３０を取付ける被取付部の位置が第１の姿勢の時と第２の姿勢の時とで幅方向にずれるようにしてある。
【００２２】
このようであるから、笠木本体２０と化粧部材３０を共通とし、連結部材４０を幅方向に反転して第１の姿勢と第２の姿勢として笠木本体２０に支持することで、笠木２の幅寸法を大きくしたり、小さくしたり調整できる。
【００２３】
また、笠木本体２０の横向部２１と化粧部材３０の横向部３１との間から雨水等が浸入することがあるが、笠木本体２０の垂下部２３が水密材１３を介して壁体１の上面１ａに接して水密しているので、前述の浸入した雨水等は垂下部２３に沿って流れ落ちるが、前述の水密部を越えて壁体１の幅方向一端寄りに流れることがなく、壁体１の幅方向他側面１ｃから流れ落ちる。したがって、笠木２から浸入した雨水等が壁体１の頂部に流れ込むことがない。
【００２４】
図２、図３に示す実施の形態では、壁体１が芯部材１０と外壁部材１１との間に空間部１２を有し、この空間部１２を建物躯体の換気等として利用するようにしてあるので、その空間部１２に雨水等が浸入すると好ましくないが、笠木２の幅が大きい場合でも、小さい場合でも笠木本体２０の垂下部２３が水密材１３を介して外壁部材１１の上面に接しているので、前述の横向部２１，３１間から浸入した雨水等は垂下部２３に沿って流れるが、前述の空間部１２に流れ込むことはない。
【００２５】
また、連結部材４０を第１の姿勢と第２の姿勢とに幅方向に反転して笠木本体２０に支持し、その連結部材４０の第１又は第２被取付部４３，４４に化粧部材３０の取付部３３を係合して取付けすれば笠木２の幅を調整できるから、その笠木２の幅を調整する作業が簡単である。
また、笠木本体２０を壁体１に取付ける笠木取付金具３は、幅方向の長さを調整する必要がなく、取付部３ａと一端被取付部３ｂと他端被取付部３ｃを有するのみの単純形状とすることができる。
【００２６】
前述の実施の形態では、芯部材１０の幅を同一とすると共に、空間部１２の寸法を同一とし、外壁部材１１の幅ｔ１，ｔ２を変えることで壁体１の幅Ｔ１，Ｔ２が異なるものとしている。
そして、幅Ｔ１が大きい図２に示す場合と幅Ｔ２が小さい図３に示す場合において、化粧部材３０の縦向部３２と外壁部材１１の側面（幅方向他側面１ｃ）との間の隙間Ｓ１，Ｓ２を略同一にできるようにしている。
【００２７】
要するに、笠木取付金具３を芯部材１０の上面に、その芯部材１０の幅方向中央部を基準として同一位置に取付け、その笠木取付金具３に笠木本体２０を取付けて被支持部２４が、前述の芯部材１０の幅方向中央部を基準として同一位置とする。
そして、連結部材４０を第１の姿勢、第２の姿勢とした時の被取付部の幅方向の位置の差を、前述の壁体１の幅の差（Ｔ１−Ｔ２）の半分とする。
このようにすることで、壁体１の幅方向中央部を基準として幅寸法の異なる２つの笠木を前述のように取付けできる。
【００２８】
前述の説明において、連結部材４０を笠木本体２０に支持するとは、連結部材４０が笠木本体２０に対して幅方向及び上下方向に動かないようにすることである。
また、連結部材４０と化粧部材３０を係合するとは、両者が相対的に幅方向、上下方向、長手方向に動かないようにすることである。
すなわち、笠木本体２０と化粧部材３０は壁体１に取付けた状態で、幅方向及び上下方向には相対変位できるが、長手方向には相対的には動かないので、前述のようにすれば笠木本体２０に化粧部材３０を連結部材４０でしっかりと取付けできる。
【００２９】
次に、各部の詳細を説明する。
図４に示すように、笠木本体２０の横向部２１は板状で、その幅方向他端部には上向片２１ａと下向片２１ｂが長手方向全長に亘って有している。
前記垂下部２３は板状で、その下端部には横板２７が長手方向全長に亘って一体的に有し、この横板２７が水密材１３に接するようにしてある。
この横板２７の幅方向の他端部に上向片２７ａが長手方向に亘って有し、この上向片２７ａと前記下向片２１ｂで前述の被支持部２４としてある。
前記下向片２１ｂと上向片２７ａは垂下部２３よりも幅方向他端寄りに位置し、前記被支持部２４と垂下部２３との間には凹部２８を有してる。
【００３０】
前記横板２７の幅方向一端部に、前述の他端取付部２６が設けてある。この他端取付部２６は係止凹部２６ａを有し、図２、図３に示すように笠木取付金具３の他端被取付部３ｃに弾性変形して係止凹部２６ａが係合するようにしてある。
なお、一端取付部２５は図２に示すように縦向部２２に設けてあると共に、係止凹部２５ａを有し、一端被取付部３ｂに弾性変形して係止凹部２５ａが係合するようにしてある。
このようであるから、笠木取付金具３を壁体１の上面１ａに取付け、その後に笠木本体２０を笠木取付金具３に上から押し込むことで取付けできる。
【００３１】
前記化粧部材３０は図４に示すように板状で、その横向部３１の先端部３１ａが笠木本体２０の横向部２１の上面に沿って幅方向に移動して笠木の幅を調整可能で、その先端部３１ａが前述の上向片２１ａに接することで最大幅となる。
前記縦向部３２に上下一対の係止片３４が設けてあり、この一対の係止片３４で前述の取付部３３としてある。
前記連結部材４０の本体４１は、上下横板４５，４６と縦板４７で断面略Ｈ字状の短尺材で、その上下横片４５，４６の幅方向一端部に上向凹部４５ａと下向凹部４６ｂを有し、その上向凹部４５ａと前記下向片２１ｂが嵌合すると共に、下向凹部４６ａと上向片２７ａが嵌合することで連結部材４０が長手方向、上下方向に動かないように笠木本体２０に支持される。
つまり、前記上向凹部４５ａと下向凹部４６ａで前述の支持部４２としてある。
【００３２】
前記上下横板４５，４６の幅方向一端部分と他端部分が、前記一対の係止片３４が幅方向に係合する略クサビ形状で、前述の第１・第２被取付部４３，４４としてある。
【００３３】
このようであるから、図４に示すように連結部材４０を、その上向凹部４５ａ、下向凹部４６ａが幅方向一端方に向かう第１の姿勢として下向片２１ｂ、上向片２７ａに嵌合して取付けることで、図２に示すように第１被取付部４３が幅方向他端方に向かい、係止片３４が係合するようになる。
また、図４に仮想線で示すように連結部材４０を幅方向に反転して上向凹部４５ａ、下向凹部４６ａが幅方向他端方に向かう第２の姿勢として下向片２１ｂ、上向片２７ａに嵌合して取付けることで、図３に示すように第２取付部４４が幅方向他端方に向かい、係止片３４が係合するようになる。
【００３４】
前述のように、上向凹部４５ａ、下向凹部４６ａを下向片２１ｂ、上向片２７ａに嵌合することで、連結部材４０は笠木本体２０に長手方向にスライド自在に支持される。つまり、前記被支持部２４と支持部４２は笠木本体２０の長手方向にスライド自在で、幅方向及び上下方向には動かさないように支持される。
このようにすることで、笠木本体２０と化粧部材３０の熱伸びに差がある場合に、その熱伸びの差を笠木本体２０と連結部材４０の長手方向のスライドによって吸収できる。
【００３５】
前述のように、連結部材４０の上向凹部４５ａと下向凹部４６ａを下向片２１ｂ、上向片２７ａに嵌合するには、その連結部材４０を笠木本体２０の長手方向端部から長手方向にスライドして取付けることになる。
しかし、このようにした場合には笠木取付け現場で連結部材４０を取付ける作業が面倒となるし、取付けできない場合もある。
【００３６】
この実施の形態においては、前述のことを解消して連結部材４０を笠木本体２０の長手方向中間から簡単に取付けできるようにしてある。
例えば、図４と図５に示すように、笠木本体２０の下向片２１ｂと上向片２７ａに切欠き部２９をそれぞれ形成し、この各切欠き部２９の笠木本体２０の長手方向の長さを、連結部材４０の長手方向の長さｌよりも長くする。
そして、図５に矢印ａで示すように連結部材４０を各切欠部２９に幅方向から挿入して上向凹部２５ａ、下向凹部２６ａを下向片２１ｂ、上向片２７ａに幅方向に合致させる。
この状態から連結部材４０を矢印ｂで示すように笠木本体２０の長手方向に移動して上向凹部２５ａ、下向凹部２６ａを下向片２１ｂ、上向片２７ａにそれぞれ嵌合して支持する。
【００３７】
前記連結部材４０は、本体４１に支持部４２を幅方向に間隔を置いて複数有するものとしても良い。
このようにすれば、本体４１を幅方向に反転せずに、いずれか１つの支持部４２を笠木本体２０の被支持部２４に支持することで、被取付部の位置が幅方向にずれるから、その被取付部を１つとすることでも笠木２の幅寸法を調整できる。
また、被取付部を前述のように２つとすれば、本体４１を幅方向に反転することで笠木２の幅寸法をより多く調整できる。
【００３８】
例えば、図６に示すように、本体４１に前述と同様の第１・第２・第３支持部４２−１，４２−２，４２−３を幅方向に間隔を置いて有する連結部材４０とすれば、被取付部（第１被取付部４３）の幅方向の位置を幅方向に３段階にずれて支持できるから、笠木２の幅寸法を３段階に調整できる。
【００３９】
また、図６に仮想線で示すように本体４１を幅方向に反転して第２被取付部４４が幅方向他端方に向かうようにすれば、その第２被取付部４３の幅方向の位置を３段階にずらすことができるから、笠木２の幅寸法を３段階に調整できる。
したがって、笠木２の幅寸法を６段階に調整できる。
【００４０】
なお、図６において第１被取付部４３のみを有するものとしても良いし、第２被取付部４４のみを有するものとしても良い。
要するに、前述した連結部材４０は本体４１に支持部４２と被取付部を有し、その支持部４２は、笠木本体２０の被支持部２４に幅方向及び上下方向に動かないように支持され、前記被取付部は、化粧部材３０の取付部３３が長手方向、幅方向、上下方向に動かないように係合し、その被取付部の幅方向の位置をずらして被支持部２４に支持できるものである。
【００４１】
前記連結部材４０は図７に示すように、支持部４２と被取付部（第１被取付部４３）との幅方向の寸法Ｈ１，Ｈ２が異なる複数種類を準備し、いずれか１つの連結部材４０を笠木本体２０に支持することで笠木２の幅寸法を調整するようにしても良い。
この場合に、連結部材４０を前述のように第１被取付部４３と第２被取付部４４を有するものとし、幅方向に反転して支持するようにしても良いし、被取付部は１つでも良い。
また、前述の図６に示すように複数の支持部４２を有するものとしても良い。
【００４２】
前述の実施の形態ではバルコニーの壁体の頂部に取付ける笠木について述べたが、この笠木はパラペットの頂部に同様に取付けることができる。
つまり、本発明の笠木は、バルコニーの壁体、パラペットなどの笠木取付体の頂部に取付ける笠木である。
【図面の簡単な説明】
【００４３】
【図１】バルコニーの壁体頂部に笠木を取付けた平面図である。
【図２】図１のＡ−Ａ拡大断面図である。
【図３】笠木の幅を小さくして幅の小さな壁体頂部に取付けた状態の断面図である。
【図４】笠木本体と化粧部材と連結部材を分離した状態の拡大断面図である。
【図５】笠木本体に連結部材を支持するやり方を示す斜視図である。
【図６】連結部材の第２の実施の形態を示す断面図である。
【図７】連結部材の第３の実施の形態を示す断面図である。
【符号の説明】
【００４４】
１…壁体（笠木取付体）、１ａ…上面、１ｂ…幅方向一側面、１ｃ…幅方向他側面、２…笠木、３…笠木取付金具、１３…水密材、２０…笠木本体、２１…横向部、２１ｂ…下向片、２２…縦向部、２３…垂下部、２４…被支持部、２７ａ…上向片、２９…切欠き部、３０…化粧部材、３１…横向部、３２…縦向部、３３…取付部、４０…連結部材、４１…本体、４２…支持部、４３…第１被取付部、４４…第２被取付部、４５ａ…上向凹部、４６ａ…下向凹部。
【図１】
2009133078.tif 000003
【図２】
2009133078.tif 000004
【図３】
2009133078.tif 000005
【図４】
2009133078.tif 000006
【図５】
2009133078.tif 000007
【図６】
2009133078.tif 000008
【図７】
2009133078.tif 000009